(57)【要約】【課題】スライドガラス用の印字装置にスライドガラスを供給する作業の負担を軽減する。【解決手段】スライドガラスカセットは、前面部、背面部、側面部、上面部、底面部に囲まれた空間内に複数のスライドガラスを収容し、スライドガラスに印字する印字装置にスライドガラスカセットを固定するための係合部を有する。底面部は、スライドガラスカセットに収容された最下段のスライドガラスを印字装置に排出する排出口と、最下段のスライドガラスを排出口に向けて押し出す押出部が通過する通過口と、を有する。【選択図】図１
2015120601.tif 000002
【特許請求の範囲】
【請求項１】
前面部、背面部、側面部、上面部、底面部に囲まれた空間内に複数のスライドガラスを収容したスライドガラスカセットであって、
前記スライドガラスに印字する印字装置に前記スライドガラスカセットを固定するための係合部を有し、
前記底面部は、
前記スライドガラスカセットに収容された最下段のスライドガラスを前記印字装置に排出する排出口と、
前記最下段のスライドガラスを前記排出口に向けて押し出す押出部が通過する通過口と、を有する
ことを特徴とするスライドガラスカセット。
【請求項２】
前記スライドガラスカセットにおける前記複数のスライドガラスを収容する容器は、合成樹脂を用いて成型される
ことを特徴とする請求項１に記載のスライドガラスカセット。
【請求項３】
前記上面部と前記複数のスライドガラスとの間に設けられたクッション材をさらに含む
ことを特徴とする請求項１又は２に記載のスライドガラスカセット。
【請求項４】
前記排出口は、前記底面部と前記前面部との間に設けられ、
前記通過口は、前記底面部の中央部分の両側に、前記背面部との接続部分から前記排出口に向けて設けられる
ことを特徴とする請求項１乃至３のいずれかに記載のスライドガラスカセット。
【請求項５】
前記底面部は、前記側面部と接続する部分に、前記最下段のスライドガラスのそれぞれの端を支持する支持部をさらに有する
ことを特徴とする請求項１乃至４のいずれかに記載のスライドガラスカセット。
【請求項６】
前記底面部は、前記背面部との接続部分から前記排出口に向けて下向きに傾斜している
ことを特徴とする請求項１乃至５のいずれかに記載のスライドガラスカセット。
【請求項７】
前記背面部、前記側面部、前記上面部、前記底面部が一体に構成され、前記前面部は、前記側面部と係合して、前記複数のスライドガラスを収容する空間を構成する
ことを特徴とする請求項１乃至６のいずれかに記載のスライドガラスカセット。
【請求項８】
前記係合部は、前記側面部に設けられる
ことを特徴とする請求項１乃至７のいずれかに記載のスライドガラスカセット。
【請求項９】
前面部、背面部、側面部、上面部、底面部に囲まれた空間内に複数のスライドガラスを収容する、合成樹脂により成型されたスライドガラス収容器であって、
前記スライドガラスに印字する印字装置に前記スライドガラス収容器を固定するための係合部を有し、
前記底面部は、
前記スライドガラス収容器に収容された最下段のスライドガラスを前記印字装置に排出する排出口と、
前記最下段のスライドガラスを前記排出口に向けて押し出す押出部が通過する通過口と、を有する
ことを特徴とするスライドガラス収容器。
【発明の詳細な説明】
【技術分野】
【０００１】
本発明は、スライドガラスカセット及びスライドガラス収容器に関する。
【背景技術】
【０００２】
スライドガラスのフロスト部に文字、バーコード等を印刷するスライドガラス用のプリンタがある。こうしたスライドガラス用プリンタでは、複数のスライドガラスを重ねて収納したラックから１枚ずつスライドガラスを取り出してスライドガラス用プリンタの印字部に供給する機構を備えているものがある（例えば下記の特許文献１を参照）。
【０００３】
上記の従来技術では、スライドガラスに対する印字処理を実行する事前準備として、スライドガラスをラックに収納した後に、ラックをスライドガラス用プリンタにセットする必要があった。
【先行技術文献】
【特許文献】
【０００４】
【特許文献１】特開７−３２３９３２号公報
【発明の概要】
【発明が解決しようとする課題】
【０００５】
しかしながら、上記の従来技術では、ラックにスライドガラスを収納する際にスライドガラスが破損してしまったり、スライドガラスが汚れてしまったりする虞があった。そのため、ラックにスライドガラスを収納する作業には注意力を要し、作業者の負担が大きかった。
【０００６】
本発明は上記課題に鑑みて為されたものであって、その目的１つは、スライドガラス用の印字装置に供給するスライドガラスの破損や汚れを防止することにある。また、他の目的の１つは、スライドガラス用の印字装置にスライドガラスを供給する作業の負担を軽減することにある。
【課題を解決するための手段】
【０００７】
上記目的を達成するために、本発明は、前面部、背面部、側面部、上面部、底面部に囲まれた空間内に複数のスライドガラスを収容したスライドガラスカセットであって、前記スライドガラスに印字する印字装置に前記スライドガラスカセットを固定するための係合部を有し、前記底面部は、前記スライドガラスカセットに収容された最下段のスライドガラスを前記印字装置に排出する排出口と、前記最下段のスライドガラスを前記排出口に向けて押し出す押出部が通過する通過口と、を有することを特徴とするスライドガラスカセットである。
【０００８】
また、本発明の一態様では、前記スライドガラスカセットにおける前記複数のスライドガラスを収容する容器は、合成樹脂を用いて成型されることとしてもよい。
【０００９】
また、本発明の一態様では、前記上面部と前記複数のスライドガラスとの間に設けられたクッション材をさらに含むこととしてもよい。
【００１０】
また、本発明の一態様では、前記排出口は、前記底面部と前記前面部との間に設けられ、前記通過口は、前記底面部の中央部分の両側に、前記背面部との接続部分から前記排出口に向けて設けられることとしてもよい。
【００１１】
また、本発明の一態様では、前記底面部は、前記側面部と接続する部分に、前記最下段のスライドガラスのそれぞれの端を支持する支持部をさらに有することとしてもよい。
【００１２】
また、本発明の一態様では、前記底面部は、前記背面部との接続部分から前記排出口に向けて下向きに傾斜していることとしてもよい。
【００１３】
また、本発明の一態様では、前記背面部、前記側面部、前記上面部、前記底面部が一体に構成され、前記前面部は、前記側面部と係合して、前記複数のスライドガラスを収容する空間を構成することとしてもよい。
【００１４】
また、本発明の一態様では、前記係合部は、前記側面部に設けられることとしてもよい。
【００１５】
また、本発明は、前面部、背面部、側面部、上面部、底面部に囲まれた空間内に複数のスライドガラスを収容する、合成樹脂により成型されたスライドガラス収容器であって、前記スライドガラスに印字する印字装置に前記スライドガラス収容器を固定するための係合部を有し、前記底面部は、前記スライドガラス収容器に収容された最下段のスライドガラスを前記印字装置に排出する排出口と、前記最下段のスライドガラスを前記排出口に向けて押し出す押出部が通過する通過口と、を有することを特徴とするスライドガラス収容器である。
【発明の効果】
【００１６】
本発明の一態様によれば、スライドガラス用の印字装置に供給するスライドガラスの破損や汚れを防止することができ、さらには、スライドガラス用の印字装置にスライドガラスを供給する作業の負担を軽減することもできる。
【図面の簡単な説明】
【００１７】
【図１】本実施形態に係るスライドガラスカセットの一例を示す図である。
【図２】スライドガラス蓋部の外観図である。
【図３】スライドガラス収容部の外観図である。
【図４】スライドガラス用プリンタに備えられたスライド送り機構の概要図である。
【図５】スライド送り機構によるスライドガラスの送り出し状態の遷移図である。
【発明を実施するための形態】
【００１８】
以下、本発明を実施するための実施の形態（以下、実施形態）を、図面に従って説明する。
【００１９】
図１には、本実施形態に係るスライドガラスカセット１の一例を示した。図１に示されるように、スライドガラスカセット１は、スライドガラス３を収容するスライドガラスケース２、スライドガラスケース２内に収容された複数のスライドガラス３、最上段のスライドガラス３とスライドガラスケース２に設けられた凸部１０との間に配置されたクッション材４とを含む。
【００２０】
スライドガラス３には、その表面にフロスト部３Ａが設けられる。フロスト部３Ａには、スライドガラス用プリンタにより文字、バーコード等の画像が印刷される。
【００２１】
クッション材４は、例えば、スライドガラスケース２の上面部に設けられた凸部１０と、スライドガラスケース２に収納された最上段のスライドガラス３との間に挿入され、スライドガラスカセット１の運搬時等の衝撃からスライドガラス３を保護する。なお、クッション材４には、段ボール、ゴム、発泡スチロール、スポンジ等を用いることとしてよい。
【００２２】
以下、スライドガラスケース２の構成の詳細について、図２及び図３を参照しながら説明する。
【００２３】
スライドガラスケース２は、スライドガラスケース２の前面部を構成するスライドガラス蓋部２Ａと、スライドガラスケース２の背面部、左側面部、右側面部、上面部、底面部を構成するスライドガラス収容部２Ｂとからなる。本実施形態では、スライドガラス収容部２Ｂにスライドガラス蓋部２Ａを取り付けることにより、スライドガラスケース２が構成される。なお、スライドガラスケース２の成型材料としては、例えば、プラスチック、アクリル樹脂等の合成樹脂を用いることとしてよい。この際に、透明な合成樹脂を用いることとしてもよい。
【００２４】
図２には、スライドガラス蓋部２Ａの外観図を示した。図２（Ａ）は、スライドガラス蓋部２Ａの正面図、図２（Ｂ）は、スライドガラス蓋部２Ａの側面図、図２（Ｃ）は、スライドガラス蓋部２Ａの平面図を示している。
【００２５】
図２（Ａ）に示されるように、スライドガラス蓋部２Ａには開口部２０が設けられており、この開口部２０の形状を、後述するスライドガラス収容部２Ｂに設けられた開口部２２の形状と変えておくことにより、利用者はスライドガラスカセット１の前面と背面とを識別することができる。そして、図２に示されるケース係合部２１と、後述する図３に示されるスライドガラス収容部２Ｂに設けられたケース係合部２３とを係合させ両者を嵌め合わせることにより、スライドガラスケース２が構成される。
【００２６】
図３には、スライドガラス収容部２Ｂの外観図を示した。図３（Ａ）は、スライドガラス収容部２Ｂの正面図、図３（Ｂ）は、スライドガラス収容部２Ｂの側面図、図３（Ｃ）は、スライドガラス収容部２Ｂの平面図、図３（Ｄ）は、スライドガラス収容部２Ｂの底面図を示している。
【００２７】
図３（Ａ）に示されるように、スライドガラス収容部２Ｂには、開口部２２が設けられており、この開口部２２の形状を、スライドガラス蓋部２Ａに設けられた開口部２０の形状と変えておくことにより、利用者はスライドガラスカセット１の前面と背面とを識別することができる。そして、図３に示されるケース係合部２３と、図２に示されるスライドガラス蓋部２Ａに設けられたケース係合部２１とを係合し両者を嵌め合わせることにより、スライドガラスケース２が構成される。また、図３（Ａ）に示されるように、スライドガラス収容部２Ｂには、レーザが通過する用の開口部２４が設けられており、スライドガラス３の残量が開口部２４以下（未満）となった状態を検知できるようにしている。
【００２８】
図３（Ｄ）に示されるように、スライドガラス収容部２Ｂの底面には、中央に底面部２００、底面部２００の両脇にそれぞれ開口領域２０２、開口領域２０２のさらに外側に底面部２０４が設けられる。底面部２００は、スライドガラスカセット１に収容された最下段のスライドガラス３の中央部分を、底面部２０４は、最下段のスライドガラス３の両サイドをそれぞれ支持する。ここで、底面部２０４を設けたことにより、最下段のスライドガラス３を取り出す際のスライドガラス３の向きを真っ直ぐに安定させることができる。さらに、スライドガラス収容部２Ｂにスライドガラス蓋部２Ａを取り付けた場合に、底面部２００、底面部２０４と、スライドガラス蓋部２Ａとの間には開口領域２０６が形成される。上記の開口領域２０２、開口領域２０６を利用したスライドガラス３の取り出し処理については後述する。
【００２９】
図３（Ｂ）に示されるように、底面部２００と底面部２０４は、開口領域２０６に向けて下向きに傾斜している。こうすることにより、スライドガラスカセット１に収容された最下段のスライドガラス３を、開口領域２０６から取り出しやすくしている。
【００３０】
図３に示されるように、スライドガラス収容部２Ｂには、スライドガラス用プリンタにスライドガラスカセット１を、図３（Ｄ）に示した底面を下向きとして固定するために、スライドガラス用プリンタの係合部と係合するプリンタ係合部２５が両側面に設けられる。
【００３１】
スライドガラス収容部２Ｂに、スライドガラス３を重ねて配置し、その最上段のスライドガラス３とスライドガラス収容部２Ｂの上面との間にクッション材４を配置した後に、スライドガラス収容部２Ｂにスライドガラス蓋部２Ａを取り付けることで、スライドガラスカセット１が構成される。ここで、スライドガラスケース２のスライドガラス蓋部２Ａのケース係合部２１とスライドガラス収容部２Ｂのケース係合部２３との嵌め合わせが、一旦取り付けた後には外れないようにすれば、スライドガラスカセット１に収納されたスライドガラス３を利用者が触れないようにして、汚れの付着が抑えられる。
【００３２】
次に、スライドガラスカセット１に収容されたスライドガラス３をスライドガラス用プリンタに送り出すスライド送り機構の概要について図４を参照しながら説明する。
【００３３】
図４には、スライドガラス用プリンタ１００に備えられたスライド送り機構の概要図を示している。図４に示されるように、スライドガラスカセット１の下部には搬送機構が設けられている。例えば、搬送機構は、ローラ１０１、搬送ベルト１０２、搬送ベルト１０２上に設けられた２つの爪部１０３（押出部）を含み、爪部１０３はそれぞれスライドガラスカセット１の底面部に設けられた開口領域２０２を通るように配置されている。ここで、図面の向きにおいてローラ１０１が反時計回りに回転すると、爪部１０３は搬送ベルト１０２とともに動き、図５に示されるように、爪部１０３が、スライドガラスカセット１の最下段のスライドガラス３の後端面に接すると、そのまま最下段のスライドガラス３を開口領域２０６に向けて押し出す。スライドガラス用プリンタ１００は、利用者から印刷指示を受け付けるごとに、爪部１０３が搬送ベルト１０２で構成される経路を１周するようにローラ１０１の回転を制御することとしてよい。
【００３４】
ここで、図４に戻り説明を続けると、開口領域２０６から押し出されたスライドガラス３は、スライドガラス用プリンタ１００の搬送路１０４を通って図示しない印字部（画像形成部）に搬送され、印字部によりスライドガラス３のフロスト部３Ａに印刷処理が施される。
【００３５】
以上説明した本実施形態に係るスライドガラスカセット１によれば、スライドガラスカセット１には予めスライドガラス３が収納されており、スライドガラスカセット１にスライドガラス３を収納する作業が不要となるため、当該作業の手間を軽減するとともに、当該作業時においてスライドガラス３を破損したり汚してしまったりすることを防止できる。また、スライドガラスケース２をプラスチック等の合成樹脂で成型すれば、スライドガラスカセット１を使い切りタイプとして流通させることが容易となる。
【００３６】
本発明は上記の実施形態に限定されるものではない。例えば、上記の実施形態では、スライドガラスカセット１の底面部と前面部との間にスライドガラス３の取り出し口を設けたが、スライドガラス３の取り出し口は、底面部と背面部との間に設けてもよい。この場合には、背面部側を蓋として構成し、それ以外の部分をスライドガラス収容部２Ｂとして構成し、スライドガラス用プリンタの爪部１０３が通過する通過口を、底面部と前面部との接続部分から、スライドガラス３の取り出し口に向けて形成することとしてよい。
【００３７】
また、スライドガラス３の取り出し口は、底面部と側面部との間に設けてもよい。例えば、スライドガラス３の取り出し口を底面部と右側面部（又は左側面部）との間に設ける場合には、スライドガラス用プリンタの爪部１０３が通過する通過口を、底面部と左側面部（又は右側面部）との接続部分から、スライドガラス３の取り出し口に向けて形成することとしてよい。
【００３８】
また、底面部に設けられるスライドガラス用プリンタの爪部１０３が通過する通過口の数は２以上あっても構わない。
【００３９】
なお、上記の実施形態及びその変形例は、本発明の好適な実施形態の一例として説明したものであり、その範囲を限定するものではなく、本発明の要旨を逸脱しない範囲において種々の変形が可能であることはいうまでもない。
【符号の説明】
【００４０】
１  スライドガラスカセット、２  スライドガラスケース、２Ａ  スライドガラス蓋部、２Ｂ  スライドガラス収容部、３  スライドガラス、３Ａ  フロスト部、４  クッション材、１０  凸部、２０  開口部、２１  ケース係合部、２２  開口部、２３  ケース係合部、２４  開口部、２５  プリンタ係合部、１００  スライドガラス用プリンタ、１０１  ローラ、１０２  搬送ベルト、１０３  爪部、１０４  搬送路、２００  底面部、２０２  開口領域、２０４  底面部、２０６  開口領域。
【図１】
2015120601.tif 000003
【図２】
2015120601.tif 000004
【図３】
2015120601.tif 000005
【図４】
2015120601.tif 000006
【図５】
2015120601.tif 000007